【手続補正書】
【提出日】平成16年11月9日(2004.11.9)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、前記一時電流設定手段により設定されたいずれかの電流値以上の電流を流す接続確認電流設定手段とを備え、前記制御手段は、前記接続確認電流設定手段からの電流を検出しない場合には前記電動送風機を停止させることを特徴とする電気掃除機。
【請求項２】  接続確認電流設定手段により設定される電流値を、一時電流設定手段により設定される下限の電流値より大きく設定したことを特徴とする請求項１記載の電気掃除機。
【請求項３】  接続確認電流設定手段により設定される電流値を、一時電流設定手段により設定される上限の電流値より大きく設定したことを特徴とする請求項１記載の電気掃除機。
【請求項４】  接続確認電流設定手段により設定される電流値と、一時電流設定手段により設定される電流値を一定にしたことを特徴とする請求項１記載の電気掃除機。
【請求項５】  吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、接続確認電流設定手段とを備え、前記接続確認電流設定手段及び前記一時電流設定手段の電流値を検出する時のみに前記電流を流すオン−オフ手段を設けたことを特徴とする電気掃除機。
【請求項６】  吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、接続確認電流設定手段とを備え、接続確認電流設定手段と一時電流設定手段の電流経路を個別に設けた電気掃除機。
【請求項７】  接続確認電流設定手段により設定される電流値を１ｍＡ以上に設定したことを特徴とする請求項１〜６のいずれか１項に記載の電気掃除機。
【請求項８】  手動操作手段と並列にＬＥＤ、モータ等の負荷を接続するとともに、前記負荷には負荷をオン−オフするための切替手段を設け、前記切替手段により前記負荷を駆動させる場合には、前記切替手段により周期毎に前記負荷を駆動していない所定時間を設け、前記負荷が駆動していない所定時間に、接続確認電流設定手段と一時電流設定手段により設定される電流値を制御手段で読み込むことを特徴とする請求項１〜７いずれか１項記載の電気掃除機。
【請求項９】  負荷が駆動していない所定時間に対して、駆動している所定時間を短く設定したことを特徴とする請求項８項記載の電気掃除機。
【発明の詳細な説明】
【０００１】
【発明の属する技術分野】
本発明は、電動送風機の入力を任意に選択調整でき適正な吸い込み能力をもって動作可能な電気掃除機に関するものである。
【０００２】
【従来の技術】
従来、掃除機本体内の電動送風機の入力を、掃除機本体に着脱自在に接続されるホースの手許部に設けられた手動操作手段を操作することにより、掃除機本体内の制御手段を介して任意に調整できるようにした電気掃除機が知られている。
【０００３】
ここで、従来のこの種の電気掃除機における電気回路の構成の一例を図１、図１０、図１１を参照して説明する。
【０００４】
まず、電気掃除機１には、掃除機本体２１に常開型スイッチ１２１〜１２４を複数有した手動操作手段８１が設けられたホース２４が接続されていれば、手動操作手段８１の常時電流設定手段１２５が一時電流設定手段１２６により設定される下限の電流値より小さい値の一定の電流を制御手段１２８へ常時流し、制御手段１２８の判別手段１２７で電流の有無を判別することにより、掃除機本体２１側の制御手段１２８は、ホース２４が電気的に接続状態にあることを判別する。そして、手動操作手段８１で電動送風機４３の入力を任意に調節すると、手動操作手段８１の一時電流設定手段１２６が設定された値の電流を流し、制御手段１２８に接続された複数の比較手段１２９が、一時電流設定手段１２６の流す電流値をこの一時電流設定手段１２６が操作され電流が流れている間に読み取って各比較手段１２９の各基準値と比較し、比較手段１２９による比較結果を同じ制御手段１２８の記憶手段１３０が記憶する。従って、この記憶手段１３０に記憶された比較結果に基づいて電動送風機４３の入力を制御すれば、手動操作手段８１の常開型スイッチ１２１〜１２４の操作が継続しておらず、一時電流設定手段１２６が電流を流し続けていなくとも、前回の手動操作手段８１の操作時に流れた電流値に対応する入力で電動送風機４３の運転が継続する。一方、掃除機本体２１からホース２４が機械的には接続されているが電気的に外れ掃除作業者が認識しにくい非接続状態となると、制御手段１２８から手動操作手段８１も電気的に外れるので、手動操作手段８１と制御手段１２８との間では電流は流れず、制御手段１２８の判別手段１２７で電流の有無を判別することにより、掃除機本体２１の制御手段１２８は掃除作業者が認識しにくいホース２４が機械的には接続されている状態でも電気的に外れた非接続状態と判別し、運転していた電動送風機４３を停止させる制御ができる。また、常時電流設定手段１２５が流す電流値は、一時電流設定手段１２６により設定される下限の電流値より小さいので、常時電流設定手段１２５が流す電流及び一時電流設定手段１２６で設定される電流の両者は容易に区別される（例えば、特許文献１参照）。
【０００５】
また、昨今のマイコン搭載型の電気掃除機においては、上記比較手段１２９、記憶手段１３０を含む判別手段１２７をマイコンが全て処理する形態がより一般的である。
【０００６】
【特許文献１】
特開平２−１７２４３２号公報
【０００７】
【発明が解決しようとする課題】
この様な構成の従来の電気掃除機１では、常時電流設定手段１２５により設定される電流値が、一時電流設定手段１２６により設定される電流値の下限値よりも小さく設定されるため、接点に流れる電流が低い程、接点に腐食が生じやすいため、掃除機本体２１とホース２４の接続における接点の信頼性が低いという問題があった。また、常時電流設定手段１２５により設定される電流を常に一定供給しているために消費電力が高いという問題もあった。
【０００８】
本発明は、以上のような従来の課題を解決しようとするものであって、掃除機本体とホース接続部における接点の信頼性向上、また低消費電力化を図った電気掃除機を提供することを目的としている。
【０００９】
【課題を解決するための手段】
上記課題を解決するために本発明は、吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、前記一時電流設定手段により設定されたいずれかの電流値以上の電流を流す接続確認電流設定手段とを備え、前記制御手段は、前記接続確認電流設定手段からの電流を検出しない場合には前記電動送風機を停止させることを特徴とする電気掃除機で、一時電流設定手段により設定される電流値以上の電流を接続確認電流設定手段として流すため、手動操作手段により操作され一時電流設定手段により設定された電流が流れる時以外の接点の信頼性向上を図ることができる。
【００１０】
【発明の実施の形態】
本発明の請求項１記載の発明は、吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、前記一時電流設定手段により設定されたいずれかの電流値以上の電流を流す接続確認電流設定手段とを備え、前記制御手段は、前記接続確認電流設定手段からの電流を検出しない場合には前記電動送風機を停止させることを特徴とする電気掃除機で、一時電流設定手段により設定される電流値以上の電流を接続確認電流設定手段として流すため、掃除機本体とホースの接続における接点に流れる電流が大きくなることで前記接点に腐食が生じにくくなり、手動操作手段により操作され一時電流設定手段により設定された電流が流れる時以外の接点の信頼性向上を図ることができる。
【００１１】
本発明の請求項２記載の発明は、上記請求項１記載の発明において、接続確認電流設定手段により設定される電流値を、一時電流設定手段により設定される下限の電流値より大きく設定したことにより、低消費電力化を図りつつ、接点の信頼性の高い電気掃除機を提供することができる。
【００１２】
本発明の請求項３記載の発明は、上記請求項１記載の発明において、接続確認電流設定手段により設定される電流値を、一時電流設定手段により設定される上限の電流値より大きく設定したことにより、より接点の信頼性の高い電気掃除機を提供することができる。
【００１３】
本発明の請求項４記載の発明は、上記請求項１記載の発明において、接続確認電流設定手段により設定される電流値と、一時電流設定手段により設定される電流値を一定にすることにより、ホースの内部抵抗、掃除機本体とホース接続部の接触抵抗などによる電圧降下ばらつきを一定とするため、接続確認電流設定手段からの電流の有無、及び一時電流設定手段が流す電流値を複数の基準値に対して比較する際ばらつきの少ない比較、判別ができ、誤判断がなく信頼性の高い電気掃除機を提供することができる。
【００１４】
本発明の請求項５記載の発明は、吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、接続確認電流設定手段とを備え、前記接続確認電流設定手段及び前記一時電流設定手段の電流値を検出する時のみに前記電流を流すオン−オフ手段を設けたことを特徴とするもので、前記両電流値の大きさを比較、判断するタイミング以外は電流を流さないため、より低消費電力化を図った電気掃除機を提供することができる。
【００１５】
本発明の請求項６記載の発明は、吸引風を発する電動送風機と、前記電動送風機の動作を制御する制御手段と、前記制御手段に電気的に接続され複数の常開型スイッチにより前記電動送風機の入力を任意に調整する手動操作手段と、前記手動操作手段により設定された電流を流す一時電流設定手段と、接続確認電流設定手段とを備え、接続確認電流設定手段と一時電流設定手段の電流経路を個別に設けたもので、一時電流設定手段の比較と接続確認電流設定手段の比較が個別の基準幅で比較できるため、それぞれの基準幅を大きく設けられ、結果、誤判断がなく信頼性の高い電気掃除機を提供することができる。
【００１６】
本発明の請求項７記載の発明は、上記請求項１〜６のいずれか１項に記載の発明において、接続確認電流設定手段により設定される電流値を１ｍＡ以上に設定することにより接点の信頼性の高い電気掃除機を提供することができる。
【００１７】
本発明の請求項８記載の発明は、上記請求項１〜７のいずれか１項に記載の発明において、手動操作手段と並列にＬＥＤ、モータ等の負荷を接続するとともに、前記負荷には負荷をオン−オフするための切替手段を設け、前記切替手段により前記負荷を駆動させる場合には、前記切替手段により周期毎に前記負荷を駆動していない所定時間を設け、前記負荷が駆動していない所定時間に、接続確認電流設定手段と一時電流設定手段により設定される電流値を制御手段で読み込むことによって、配線を増やすことなく、手動操作手段への配線を共用して負荷の駆動を同時に行うことができる。
【００１８】
本発明の請求項９記載の発明は、上記請求項８記載の発明において、負荷が駆動していない所定時間に対して、駆動している所定時間を短く設定することにより、負荷の変動をより少なく抑えることができる。
【００１９】
【実施例】
以下、本発明の一実施例の構成を図１〜図９を参照して説明する。
【００２０】
図１において、２１は掃除機本体で、この掃除機本体２１の内部には、図２に示す電動送風機４３が後方に配設されているとともに、この電動送風機４３の吸気側に連通する集塵室が前側に形成されている。そして、交流式の場合、掃除機本体２１からは商用交流電源４２のコンセントに着脱自在に接続される電源コード２２が導出されている。（充電式の場合、前記電源コード等は有さず、電池等が配設されおり、本発明は交流式に特定したものではないが、実施例としては交流式を中心に説明を行うものとする）また、掃除機本体２１の前側には集塵室に臨んで接続口２３が開口形成されている。
【００２１】
また、２４はホースで、このホース２４の一端部には、掃除機本体２１の接続口２３に着脱自在に差し込み接続される接続管２５が設けられ、ホース２４の他端部には手許部である握り管２６が設けられていると共に、掃除機本体２１のポジション選択を行うための手動操作手段８１が設けられている。更に、握り管２６には延長管２７の一部が着脱自在に嵌合接続されている。また、前記手動操作手段８１は、複数個、例えば３個のメンブレンスイッチからなる常開型スイッチ３１、常開型スイッチ３２、常開型スイッチ３３が配設されている。
【００２２】
そして、延長管２７の他端には、吸引口体２８が連結管２９を介して連通して着脱自在に嵌合され、吸引口体２８には、図示しない吸引口が下面部に開口形成されている。
【００２３】
次に、掃除機本体２１内に配設され電動送風機４３の入力を制御する制御手段４１の構成を図２を参照して説明する。
【００２４】
商用交流電源４２の両極間に電動送風機４３と電力制御手段４４とが直列に接続され、商用交流電源４２には、直流電源を供給する電源手段（１）４５及び電源手段（２）４６も接続される。電源手段（１）４５と電源手段（２）４６は直流電源をつくりだしており、例えば電源手段（１）４５は−２４Ｖ、−３２Ｖ等の直流電源であり、電源手段（２）４６は−５Ｖの直流電源である。そして、この電源手段（１）４５の両極間に負荷手段（０）４７が接続されており、この負荷手段（０）４７のＧＮＤ側両端に端子Ｃ，Ｄがそれぞれ接続されている。なお、これらの端子Ｃ，Ｄは、掃除機本体２１の接続口２３付近に配設されている。
【００２５】
端子Ｄで発生する電圧は比較判別手段５１のＡ／Ｄ入力ポートに入力され、それぞれの基準値と比較し、判別を行うものである。前記比較判別手段５１はマイコン等で実現される。マイコン等からなる前記比較判別手段５１には位相制御のための同期信号を出力する電源同期手段７６が入力されている。また、比較判別手段５１の出力は、電力制御手段４４のトリガの位相をずらすための可変手段７５に入力されている。
【００２６】
次に、ホース２４に配設され電動送風機４３の入力を任意に調節するのに用いられる手動操作手段８１の一実施例の構成を図３により説明する。手動操作手段８１には負荷手段（１）８３、負荷手段（２）８４、負荷手段（３）８５、負荷手段（４）８６、常開型スイッチ３１〜３３、及びＰＮＰ型トランジスタ等からなる接続確認電流設定手段８７が接続されている。なお、本実施例においては、前記接続確認電流設定手段８７は手動操作手段８１内に設けられているが、掃除機本体２１内に設けられていてもかまわない。
【００２７】
以降、各種動作について図２〜図４を用いて説明を行う。
【００２８】
接続確認電流設定手段８７の動作について説明を行う。ホース２４は掃除機本体２１に接続されていれば、図２の端子Ｃ，Ｄと図３の端子Ｃ，Ｄが接続されている状態にある。この時、接続確認電流設定手段８７をＰＮＰ型トランジスタとして考えると、常開型スイッチ３１〜３３は押されていない場合、ＰＮＰ型トランジスタはオン状態にあり、ＰＮＰ型トランジスタのエミッタ−コレクタ間に電流が流れる。すなわち、電源手段（１）４５に負荷手段（０）４７、負荷手段（２）８４、負荷手段（３）８５、負荷手段（４）８６が直列に接続された電流が、掃除機本体２１内の制御手段４１と手動操作手段８１の間に流れていることになる。前記電流値が接続確認電流設定手段８７により設定される電流値であり、この電流値は負荷手段（０）４７により端子Ｄ部の電圧が決定され、マイコン等からなる比較判別手段５１のＡ／Ｄ入力ポートに入力される。
【００２９】
次に一時電流設定手段６２の動作について説明を行う。上記同様ホース２４は掃除機本体２１に接続されていれば、図２の端子Ｃ，Ｄと図３の端子Ｃ，Ｄが接続されている状態にある。常開型スイッチ３１〜３３をどのようなポジションに設定するかは、設定する際任意に設定可能であるが、本実施例では常開型スイッチ３１を「強／弱」ポジション、常開型スイッチ３２を「標準」ポジション、常開型スイッチ３３を「切」ポジションと仮において説明を行うものとする。まず、常開型スイッチ３１、すなわち「強／弱」ポジションを選択された場合について説明を行う。上記で説明をしたように、スイッチ選択がなされない場合は、接続確認電流設定手段８７のＰＮＰ型トランジスタがオン状態にあるため、負荷手段（０）４７、負荷手段（２）８４〜負荷手段（４）８６を通じて電流が流れている。その状態において、常開型スイッチ３１が押されると接続確認電流設定手段８７のＰＮＰ型トランジスタのベース−エミッタ電圧Ｖｂｅがゼロとなるため、ＰＮＰ型トランジスタはオフ状態になる。従って、常開型スイッチ３１が押された瞬間は、電源手段（１）４５に負荷手段（０）４７、負荷手段（１）８３、負荷手段（２）８４、負荷手段（３）８５、負荷手段（４）８６が直列に接続された電流が、掃除機本体２１内の制御手段４１と手動操作手段８１の間に流れていることになる。すなわち、上記同様にマイコン等からなる比較判別手段５１には前記電流に応じた電圧がＡ／Ｄ入力ポートに入力されることになる。
【００３０】
次に、常開型スイッチ３２、すなわち「標準」ポジションを選択された場合について説明を行う。上記で説明をしたように、スイッチ選択がなされない場合は、接続確認電流設定手段８７のＰＮＰ型トランジスタがオン状態にあるため、負荷手段（０）４７、負荷手段（２）８４〜負荷手段（４）８６を通じて電流が流れている。その状態において、常開型スイッチ３２が押されると接続確認電流設定手段８７のＰＮＰ型トランジスタのコレクタ−エミッタ電圧Ｖｃｅがゼロとなるため、ＰＮＰ型トランジスタはオフ状態になる。従って、常開型スイッチ３２が押された瞬間は、電源手段（１）４５に負荷手段（０）４７、負荷手段（３）８５、負荷手段（４）８６が直列に接続された電流が、掃除機本体２１内の制御手段４１と手動操作手段８１の間に流れていることになる。すなわち、上記同様にマイコン等からなる比較判別手段５１には前記電流に応じた電圧がＡ／Ｄ入力ポートに入力されることになる。常開型スイッチ３３、すなわち「切」ポジションを選択された場合も前記同様であり、ＰＮＰ型トランジスタのコレクタ−エミッタ電圧Ｖｃｅがゼロとなるため、ＰＮＰ型トランジスタはオフ状態になる。従って、常開型スイッチ３２が押された瞬間は、電源手段（１）４５に負荷手段（０）４７、負荷手段（４）８６が直列に接続された電流が、掃除機本体２１内の制御手段４１と手動操作手段８１の間に流れていることになる。すなわち、上記同様にマイコン等からなる比較判別手段５１には前記電流に応じた電圧がＡ／Ｄ入力ポートに入力されることになる。
【００３１】
上記全ての場合において、マイコン等からなる比較判別手段５１のＡ／Ｄ入力ポートに入力される電圧の比較、判別について図４をもとに説明を行う。Ａ／Ｄ入力電圧は電源手段（１）４５に直列接続される負荷手段（０）４７〜負荷手段（４）８６で決定される電流値に比例するため、電圧の低い方から常開型スイッチ３１判別域→接続確認電流設定手段判別域→常開型スイッチ３２判別域→常開型スイッチ３３判別域の順序となる。この時、電源手段（１）４５の電圧ばらつき、負荷手段の抵抗ばらつき、温度特性ばらつきを考慮して、各種ばらつき幅でも確実に判別できる幅をそれぞれに持たすことにより、確実に判別し、結果マイコン等からなる比較判別手段５１からそれぞれの条件に一致した出力をだすことにより、可変手段７５を通じて、電力制御手段４４にトリガーを与え、各条件における位相制御を行うことができる。接続確認電流設定手段判別域においては、ホース２４が掃除機本体２１から抜かれたり、断線に至ったりした場合には、電流値がゼロとなるため、マイコン等の比較判別手段５１はホース２４に何らかの異常があったと判断し、電動送風機４３を停止させることができる。特に本実施例においては、接続確認電流設定手段８７で設定される電流値を最下限に設定していない。これはホース２４と掃除機本体２１との接続部、すなわち端子Ｃ，Ｄにおける接点の信頼性を向上させるためであり、スイッチ３１判別域の上に常時電流判別域を設定する様にすれば、なるべく消費電力も低減する事が出来る。更に、接点の信頼性向上を図る事に特化したい場合には、常時電流判別域をスイッチ３３判別域の上である最上限域に設定してもよい。更に接点の信頼性向上を図るには、接続確認電流設定手段８７によって決まる電流値を１ｍＡ以上に設定することがベターである。
【００３２】
しかしながら上記場合においては、各種選択時において電流値が異なるため、ホース２４の配線における内部抵抗、端子Ｃ，Ｄ間で発生する接触抵抗による電圧降下も異なるため、図４に示すＡ／Ｄ入力電圧もばらつきが大きくなり、誤判断をする可能性がある。このような問題を解決するためには図５に示す様に、電源手段（１）４５の間に負荷手段（０）４７〜負荷手段（４）８６が直列接続されている経路内に、定電流手段１１０を配設することにより、各種選択時における電流値を一定化できるため、ホース２４の配線における内部抵抗、端子Ｃ，Ｄ間で発生する接触抵抗による電圧降下も一定にでき、より精度の高い比較、判別を行うことができる。
【００３３】
精度向上については図６に示す様に、接続確認電流設定手段８７と一時電流設定手段６２の電流経路をそれぞれ分けて、比較判別手段５１へのＡ／Ｄ入力もそれぞれ分けることにより、図４で示したＡ／Ｄ入力のそれぞれ選択時の幅を広く設ける事ができるため、誤判別をなくし、精度向上を図る事が出来る。
【００３４】
また、更に消費電力の低減を図りたい場合においては図７に示す様に、電源手段（１）４５の間に負荷手段（０）４７〜負荷手段（４）８６が直列接続されている経路内に、トランジスタ等からなるオン−オフ手段１１１を配設し、前記オン−オフ手段１１１のトリガー入力端はマイコン等からなる比較判別手段５１に接続され、図７に示す様に比較判別手段５１がＡ／Ｄ入力電圧を読み込むタイミングを含む、一定時間だけオン−オフ手段１１１をオンするようにする。この様にすれば、Ａ／Ｄ入力電圧を読み込むタイミング以外は、電流が流れないためより低消費電力化を図ることが可能となる。
【００３５】
また手動操作手段８１への経路内で、ＬＥＤ、モータ等の負荷を駆動させたい場合においては、図９に示す様に手元操作手段８１に並列にＬＥＤ、モータ等からなる負荷１０５を接続すると共に、その負荷１０５を切替えするための切替手段１０６を接続する。前記切替手段１０６の切替タイミングについては、図８に示す様に、Ａ／Ｄ入力電圧を読み込むタイミングを除いたタイミングで切替える。仮にＡ／Ｄ入力電圧を読み込むタイミングで負荷１０５を駆動すれば、Ａ／Ｄ入力電圧の電位はＬＯＷとなるため、図８に示す様にマイコンから見れば０Ｖとなり、手元操作手段８１の電圧が読めなくなる。従って、前記に示した様に、手元操作手段８１の電圧を読み込むタイミングを避けて、負荷１０５を駆動させれば、手元信号を判断しつつ、配線を増やすことなく負荷１０５を同時に駆動させる事が可能となる。また、手元操作手段８１の電圧を読み込む時間と負荷１０５を駆動させる時間について、負荷１０５を駆動させる時間の方を長く設ければ、負荷１０５の変動、例えばＬＥＤのちらつき等を最小限に押え込むことができる。
【００３６】
【発明の効果】
本発明によれば、掃除機本体とホース接続部における接点の信頼性向上、また低消費電力化を図った電気掃除機を提供できる。
【図面の簡単な説明】
【図１】
本発明の一実施例の電気掃除機の概略構成図
【図２】
同制御手段のブロック図
【図３】
同手動操作手段の一例のブロック図
【図４】
同比較判別手段のＡ／Ｄ入力電圧の一例を示す判別基準図
【図５】
同定電流化した場合の制御手段のブロック図
【図６】
同接続確認電流設定手段と一時電流設定手段を別入力とした場合のブロック図
【図７】
同読み込みタイミングのみオンした場合のブロック図
【図８】
同Ａ／Ｄ入力タイミングの一例を示す波形図
【図９】
同手動操作手段と並列に負荷を接続した場合のブロック図
【図１０】
従来の電気掃除機の制御手段のブロック図
【図１１】
同手動操作手段のブロック図
【符号の説明】
１  電気掃除機
２１  掃除機本体
２４  ホース
３１〜３３  常開型スイッチ
４３  電動送風機
５１  比較判別手段
８１  手動操作手段
６２  一時電流設定手段
８７  接続確認電流設定手段
１０５  負荷
１０６  切替手段